(57)【要約】【課題】動画と共に用いられる広告の新たな手法を提供することを一つの目的とすること。【解決手段】本発明による行動ログ生成方法は、動画を読み込むステップと、動画の第１時刻における第１位置と第２時刻における第２位置との選択を受け付けるステップと、操作を受け付けることが可能な被操作領域を第１位置から第２位置に移動する経路を設定するステップと、被操作領域と所定のコンテンツとを関連付けるステップと、を含んでいる。【選択図】図１
2019012420.tif 000002
【特許請求の範囲】
【請求項１】
動画を読み込むステップと、
前記動画の第１時刻における第１位置と第２時刻における第２位置との選択を受け付けるステップと、
操作を受け付けることが可能な被操作領域を前記第１位置から前記第２位置に移動する経路を設定するステップと、
前記被操作領域と所定のコンテンツとを関連付けるステップと、を含む、
広告表示方法。
【請求項２】
請求項１に記載の広告表示方法であって、
前記第１時刻と前記第２時刻との間である第３時刻における第３位置の選択操作を受け付けるステップと、
前記被操作領域を前記第１位置、前記第３位置及び前記第２位置の順に移動する前記経路を設定するステップと、を含む、
広告表示方法。
【請求項３】
請求項１又は請求項２に記載の広告表示方法であって、
前記被操作領域の前記第１位置から前記第２位置への移動速度の設定を更に受け付けるステップを含む、
広告表示方法。
【請求項４】
請求項１乃至請求項３のいずれかに記載の広告表示方法であって、
前記コンテンツとして広告情報を受け付けるステップを更に含む、広告表示方法。
【請求項５】
＜＜被操作領域を選択するとＵＲＬへ遷移＞＞
請求項１乃至請求項４のいずれかに記載の広告表示方法であって、
前記コンテンツとして所定の広告へのリンク情報を受け付けるステップを更に含む、広告表示方法。
【請求項６】
請求項１乃至請求項５のいずれかに記載の広告表示方法であって、
前記被操作領域に少なくとも一のアイコンを関連付ける操作を受け付けるステップを含む、広告表示方法。
【請求項７】
請求項１乃至請求項６のいずれかに記載の広告表示方法であって、
前記動画の第４時刻における第４位置に他の被操作領域を関連付ける操作を受け付けるステップと、
前記他の被操作領域の表示開始時刻と表示終了時刻とを受け付けるステップとを含む、広告表示方法。
【請求項８】
動画を読み込む手段と、
前記動画の第１時刻における第１位置と第２時刻における第２位置とに被操作領域を関連付ける操作を受け付ける手段と、
前記被操作領域を前記第１位置から前記第２位置に移動する経路を設定する手段と、
前記被操作領域と所定のコンテンツとを関連付ける手段とを備える、
広告表示サーバ。
【請求項９】
コンピュータを、
動画を読み込む手段、
前記動画の第１時刻における第１位置と第２時刻における第２位置とに被操作領域を関連付ける操作を受け付ける手段、
前記被操作領域を前記第１位置から前記第２位置に移動する経路を設定する手段、及び
前記被操作領域と所定のコンテンツとを関連付ける手段、として機能させる
広告表示プログラム。
【発明の詳細な説明】
【技術分野】
【０００１】
本発明は、広告表示方法、広告表示サーバ及び広告表示プログラムに関し、特に動画内に広告を埋め込む技術に関する。
【背景技術】
【０００２】
ユーザからの視認性に基づく適切なタイミングで広告の挙動を制御するウェブ広告の表示技術が開示されている（例えば、特許文献１参照）。
【先行技術文献】
【特許文献】
【０００３】
【特許文献１】特開２０１１−１２８２０４号公報
【発明の概要】
【発明が解決しようとする課題】
【０００４】
近年動画内で使用されている商品について、広告を表示することがしばしば行われている。このような広告は、動画の再生直後に表示されたり、動画とともに表示されるバナーとして表示されたりすることが多い。
【０００５】
しかしながら、このような方法では広告のリアルタイム性に欠け、広告効果を十分に発揮することができない。
【０００６】
そこで、本発明は、動画と共に用いられる広告の新たな手法を提供することを一つの目的とする。
【課題を解決するための手段】
【０００７】
本発明によれば、
動画を読み込むステップと、
前記動画の第１時刻における第１位置と第２時刻における第２位置との選択を受け付けるステップと、
操作を受け付けることが可能な被操作領域を前記第１位置から前記第２位置に移動する経路を設定するステップと、
前記被操作領域と所定のコンテンツとを関連付けるステップと、を含む、
広告表示方法が得られる。
【発明の効果】
【０００８】
本発明によれば、動画と共に用いられる広告の新たな手法を提供することができる。
【図面の簡単な説明】
【０００９】
【図１】本発明の第１の実施の形態による広告表示システムのイメージ図である。
【図２】広告表示装置のハードウェア構成を示すブロック図である。
【図３】広告表示システムの処理を示すブロック図である。
【図４】広告表示システムの画面例である。
【図５】広告表示システムの他の画面例である。
【図６】被操作領域の移動速度に関するＶ−Ｔグラフである。
【図７】本発明の第２の実施の形態による広告表示システムの画面表示例である。
【図８】広告表示システムの画面例である。
【図９】広告表示システムの他の画面例である。
【図１０】広告表示システムの他の画面例である。
【図１１】本発明の画面表示例である。
【発明を実施するための形態】
【００１０】
本発明の実施形態の内容を列記して説明する。本発明の実施の形態による広告表示方法、広告表示サーバ及び広告表示プログラムは、以下のような構成を備える。
［項目１］
動画を読み込むステップと、
前記動画の第１時刻における第１位置と第２時刻における第２位置との選択を受け付けるステップと、
操作を受け付けることが可能な被操作領域を前記第１位置から前記第２位置に移動する経路を設定するステップと、
前記被操作領域と所定のコンテンツとを関連付けるステップと、を含む、
広告表示方法。
［項目２］
項目１に記載の広告表示方法であって、
前記第１時刻と前記第２時刻との間である第３時刻における第３位置の選択操作を受け付けるステップと、
前記被操作領域を前記第１位置、前記第３位置及び前記第２位置の順に移動する前記経路を設定するステップと、を含む、
広告表示方法。
［項目３］
項目１又は項目２に記載の広告表示方法であって、
前記被操作領域の前記第１位置から前記第２位置への移動速度の設定を更に受け付けるステップを含む、
広告表示方法。
［項目４］
項目１乃至項目３のいずれかに記載の広告表示方法であって、
前記コンテンツとして広告情報を受け付けるステップを更に含む、広告表示方法。
［項目５］
項目１乃至項目４のいずれかに記載の広告表示方法であって、
前記コンテンツとして所定の広告へのリンク情報を受け付けるステップを更に含む、広告表示方法。
［項目６］
項目１乃至項目５のいずれかに記載の広告表示方法であって、
前記被操作領域に少なくとも一のアイコンを関連付ける操作を受け付けるステップを含む、広告表示方法。
［項目７］
項目１乃至項目６のいずれかに記載の広告表示方法であって、
前記動画の第４時刻における第４位置に他の被操作領域を関連付ける操作を受け付けるステップと、
前記他の被操作領域の表示開始時刻と表示終了時刻とを受け付けるステップとを含む、広告表示方法。
［項目８］
動画を読み込む手段と、
前記動画の第１時刻における第１位置と第２時刻における第２位置とに被操作領域を関連付ける操作を受け付ける手段と、
前記被操作領域を前記第１位置から前記第２位置に移動する経路を設定する手段と、
前記被操作領域と所定のコンテンツとを関連付ける手段とを備える、
広告表示サーバ。
［項目９］
コンピュータを、
動画を読み込む手段、
前記動画の第１時刻における第１位置と第２時刻における第２位置とに被操作領域を関連付ける操作を受け付ける手段、
前記被操作領域を前記第１位置から前記第２位置に移動する経路を設定する手段、及び
前記被操作領域と所定のコンテンツとを関連付ける手段、として機能させる
広告表示プログラム。
【００１１】
＜実施の形態の詳細＞
（第１の実施の形態）
以下、本発明の第１の実施の形態による広告表示方法によって実現される広告表示システムついて、図面を参照しながら説明する。
【００１２】
＜概要＞
本発明による広告表示システムは、動画内に表示される商品等について被操作領域を設定（詳細は後述する）し、ユーザによって当該被操作領域が選択されると所定の広告（コンテンツ）を提供するものである。本実施の形態においては、被操作領域は、固定被操作領域と被操作領域の２種類が用意されている。固定被操作領域は、例えば、動画内の位置の固定されている看板等に対して設定されるものである。当該動画が再生されている間、ユーザによって看板等が選択されると、当該看板の詳細の情報が表示される。一方、被操作領域は、動画内の移動物（例えば「人」等）に対して設定され得るものであり、当該移動物に追随して移動する。したがって、ユーザが当該移動物を選択した場合いつでも当該移動物に関する情報が表示されることとなる。
【００１３】
図１を参照して、被操作領域についてより詳細に説明する。図示されるように、画面１内には、時刻Ｔ＝ｔ０において画面左の位置Ｐ１に位置しかつ時刻Ｔ＝ｔ１において画面右の位置Ｐ２まで移動する人物１０が表示されている。時刻Ｔ＝ｔ０において被操作領域１００が人物１０の衣服（人物１０の胴体の部分）に設定されており、時刻Ｔ＝ｔ１において被操作領域１００が人物１０の衣服に設定されている。
【００１４】
本実施の形態においては、人物１０が位置Ｐ１から位置Ｐ２まで移動すると、被操作領域１００も当該人物１０の移動に合わせて位置Ｐ１から位置Ｐ２まで人物１０に追随して移動する。したがって、ユーザは、移動する人物１０の衣服を当該人物１０が移動中であっても常に選択可能となる。被操作領域１００を選択すると、図示しないポップアップメニューが表示され、当該衣服の詳細な情報が画面１に表示される。
【００１５】
＜ハードウェア構成＞
本実施の形態による広告表示システムは、図２に示される広告表示装置（以下、単に「装置」という）２によって具現化される。
【００１６】
装置２は、行動ログ生成システムを通じてサービスを提供するための情報処理装置であり、例えばワークステーションやパーソナルコンピュータのような汎用コンピュータとしてもよいし、ＰＤＡやスマートフォン等のような携帯端末、あるいはクラウド・コンピューティングによって論理的に実現されてもよい。図２に示されるように、装置２は、プロセッサ２０、メモリ２１、ストレージ２２、送受信部２３、及び入出力部２４を少なくとも備え、これらはバス２５を通じて相互に電気的に接続される。
【００１７】
プロセッサ２０は、装置２の動作を制御し、各要素間におけるデータの送受信の制御、及びアプリケーションの実行に必要な処理等を行う演算装置である。例えばプロセッサ２０はＣＰＵ及び／又はＧＰＵ（Ｇｒａｐｈｉｃａｌ  Ｐｒｏｃｅｓｓｉｎｇ  Ｕｎｉｔ）等であり、ストレージ２２に格納されメモリ２１に展開されたプログラム等を実行することによって、必要な各情報処理を実施する。
【００１８】
メモリ２１は、典型的には、揮発性メモリ（例えばＲＡＭ）、不揮発性メモリ（例えばＲＯＭやフラッシュメモリ等）及び／又はこれらの組合せからなる１次記憶装置である。メモリ２１は、典型的には、デバイスドライバ、オペレーティングシステム（ＯＳ）プログラム、１又は２以上のアプリケーションプログラム及びプログラムデータ等の全部又は一部を保持し、プロセッサの利用に供される。メモリ２１はプロセッサ２０のワークエリア等として使用され、また、装置２の起動時に実行されるＢＩＯＳ、及び各種設定情報等が格納される。
【００１９】
ストレージ２２には、典型的には、ハードディスクドライブ（ＨＤＤ）や光学式ディスクドライブ、ソリッドステートデバイス（ＳＳＤ）等からなる。ストレージデバイスは、プロセッサモジュールの２次記憶装置として機能し、ＯＳ、アプリケーションプログラム、プログラムデータ及び各種のデータベースを記憶する。これらのプログラム及びデータの全部又は一部は、外部記憶装置に記憶されても良い。
【００２０】
送受信部２３は、装置２をネットワークに接続し、外部のデータベース（詳しくは、後述する）との通信を行う。入出力部２４は、マウスやキーボード等の情報入力機器、及びディスプレイ等の出力機器である。バス２５は、上記各要素に共通に接続され、例えば、アドレス信号、データ信号及び各種制御信号を伝達する。
【００２１】
＜機能構成＞
図３に示されるように、本実施の形態による広告表示システムは、動画を読み込むステップ（ステップＳ３０１）と、当該動画内の時刻Ｔ＝ｔ０における任意の位置に開始地点を設定するステップ（ステッテプＳ３０２）と、当該動画内の時刻Ｔ＝ｔ１における任意の位置に終了地点を設定するステップ（ステップＳ３０３）と、被選択領域（後述する）の開始地点から終了地点までの経路及び速度を決定（演算）するステップ（ステップＳ３０４）とを含んでいる。
【００２２】
図４を参照して、動画内の任意の位置に被操作領域を設定するステップを説明する。動画の時刻Ｔ＝ｔ０においては、画面１内の左側に人物１０が表示されている。ユーザは、マウス等のインターフェースを利用して、開始地点を設定する。本実施の形態による開始地点の設定は、人物１０の胴体部分に領域１００ｓを設定することによって行う。領域１００ｓは、所定の面積を有する閉じた領域であり、ドラッグアンドドロップを行った領域と同一又は所定の倍率を乗じた面積を有する。本実施の形態による開始地点は当該面積の中心（重心）に設定されるが、任意の一点であればよい。本実施の形態による領域１００ｓは矩形形状であるが、多角形形状、円形状、その他の任意の形状であってもよい。本実施の形態による開始地点に対応する領域１００ｓは、ユーザからの操作を受け付けることが可能な領域であり、より具体的には、ユーザからマウス等によってクリック操作することが可能な領域である。
【００２３】
なお、開始地点の設定は、画面内の任意の点を選択するのみとしてもよい。この場合、当該点を含む所定の領域に開始地点に相当する被操作領域が設定されることとすればよい。
【００２４】
続いて、図４及び図５に示されるように、図示される動画においては、時刻Ｔ＝ｔ０から時刻Ｔ＝ｔ１にかけて人物が画面１内を左から右にまっすぐ移動する（図４の点線で表した矢印を参照）。動画の時刻Ｔ＝ｔ1においては、画面１内の右側に人物１０が表示されている。開始地点の選択と同様に、ユーザは、マウス等のインターフェースを利用して、終了地点を設定する。本実施の形態による終了地点の設定は、人物１０の胴体部分に領域１００ｅを設定することによって行う。領域１００ｅは、領域１００ｓと同様に、所定の面積を有する閉じた領域であり、ドラッグアンドドロップを行った領域と同一又は所定の倍率を乗じた面積を有する。本実施の形態による終了地点は当該面積の中心（重心）に設定されるが、任意の一点であればよい。本実施の形態による領域１００ｅは矩形形状であるが、多角形形状、円形状、その他の任意の形状であってもよい。本実施の形態による終了地点に対応する領域１００ｓは、ユーザからの操作を受け付けることが可能な領域であり、より具体的には、ユーザからマウス等によってクリック操作することが可能な領域である。
【００２５】
なお、終了地点の設定も、画面内の任意の点を選択するのみとしてもよい。この場合、当該点を含む所定の領域に終了地点に対応する被操作領域が設定されることとすればよい。
【００２６】
図１、図４及び図５に示されるように、開始地点及び終了地点が設定されると、それらの間を所定の経路、所定の速度で被操作領域１００が開始地点と終了地点までの間を（ｔ１−ｔ０時間で）かけて移動する。即ち、開始被操作領域１００と終了被操作領域１００’の設定が終了すると、装置２（図２参照）は、画面１内におけるＴ＝ｔ０における開始地点とＴ＝ｔ１における終了地点とに基づいて、被操作領域１００の移動する経路及び速度を計算する。本実施の形態による経路は、開始地点と終了地点とを結ぶ直線であるが経路は任意に設定することとしてもよい。
【００２７】
なお、被操作領域１００の速度は図６のＶ−Ｔグラフに示されるように、一定でなくてもよい。ユーザの任意に設定させることとしてもよい。また、速度が０になる期間を設けることとしてもよい。
【００２８】
本実施の形態による被操作領域１００は、透明領域（図において点線で示されている）であるが、操作（クリック等）可能であることがわかるように所定のアイコン等を表示することとしてもよい。
【００２９】
本実施の形態においては、ユーザによって被操作領域がクリックされた場合、所定の広告が表示されることとしてもよいし、所定のリンク先に遷移させることとしてもよい。なお、このようにしてユーザに提供される情報は、動画内の被操作領域１００が設定されている商品（又はサービス）に関するものである。例えば、本実施の形態においては、動画内の人物１０が着ている「服」や「アクセサリー」などの身に着けるものとしてもよい。
【００３０】
（第２の実施の形態）
上述した第１の実施の形態による広告表示システムにおいては、被操作領域１００が開始地点から終了地点まで直線的に移動するものであった（図１参照）。本発明の第２の実施の形態による広告表示システムは、図７に示されるように、人物１０が位置Ｐ１から位置Ｐ３を経由して位置Ｐ２までカーブを描いて移動する動画に対して被操作領域を設定するものである。これにより、被操作領域１００は当該人物１０の位置Ｐ１、位置Ｐ３、位置Ｐ２まで人物１０に追随して移動する。なお、以下の説明においては、大１の実施の形態と重複する要素・構成については同一の参照符号を付与し、その説明を省略又は簡略化する。
【００３１】
図７に示されるように、人物１０は、時刻Ｔ＝ｔ０において画面１の左側にある位置Ｐ１に位置し、図示される矢印に従って右の方向へ移動し、時刻Ｔ＝ｔ１において画面１の中央にある位置Ｐ２に位置し、図示される矢印に従って下方へ移動、時刻Ｔ＝ｔ３において画面１の右下にある位置Ｐ３に位置するように移動する。
【００３２】
第１の実施の形態と同様に、図８乃至図１０を参照して、動画内の任意の位置に被操作領域を設定するステップを説明する。図８に示されるように、動画の時刻Ｔ＝ｔ０においては、画面１内の左側に人物１０が表示されている。ユーザは、マウス等のインターフェースを利用して、開始地点を設定する。本実施の形態においても開始地点の設定は、人物１０の胴体部分に領域１００ｓを設定することによって行う。領域１００ｓは、所定の面積を有する閉じた領域であり、ドラッグアンドドロップを行った領域と同一又は所定の倍率を乗じた面積を有する。本実施の形態による開始地点は当該面積の中心（重心）に設定されるが、任意の一点であればよい。本実施の形態による領域１００ｓは矩形形状であるが、多角形形状、円形状、その他の任意の形状であってもよい。本実施の形態による開始地点に対応する領域１００ｓは、ユーザからの操作を受け付けることが可能な領域であり、より具体的には、ユーザからマウス等によってクリック操作することが可能な領域である。
【００３３】
次に、図９に示されるように、時刻Ｔ＝ｔ０から時刻Ｔ＝ｔ１にかけて人物が画面１内を左から中央に移動する（図７の矢印を参照）。動画の時刻Ｔ＝ｔ1においては、画面１内の中央に人物１０’が表示されている。開始地点の選択と同様に、ユーザは、マウス等のインターフェースを利用して、中間地点を設定する。本実施の形態による中間地点の設定は、人物１０’の胴体部分に領域１００ｍを設定することによって行う。領域１００ｍは、領域１００ｓと同様に、所定の面積を有する閉じた領域であり、ドラッグアンドドロップを行った領域と同一又は所定の倍率を乗じた面積を有する。本実施の形態による終了地点は当該面積の中心（重心）に設定されるが、任意の一点であればよい。本実施の形態による領域１００ｍは矩形形状であるが、多角形形状、円形状、その他の任意の形状であってもよい。本実施の形態による終了地点に対応する領域１００ｍは、ユーザからの操作を受け付けることが可能な領域であり、より具体的には、ユーザからマウス等によってクリック操作することが可能な領域である。
【００３４】
続いて、図１０に示されるように、図示される動画においては、時刻Ｔ＝ｔ１から時刻Ｔ＝ｔ２にかけて人物が画面１内を中央から右下に移動する。動画の時刻Ｔ＝ｔ２においては、画面１内の右下側に人物１０’’が表示されている。開始地点の選択と同様に、ユーザは、マウス等のインターフェースを利用して、中間地点を設定する。本実施の形態による終了地点の設定は、人物１０’’の胴体部分に領域１００ｅを設定することによって行う。領域１００ｅは、領域１００ｓと同様に、所定の面積を有する閉じた領域であり、ドラッグアンドドロップを行った領域と同一又は所定の倍率を乗じた面積を有する。本実施の形態による終了地点は当該面積の中心（重心）に設定されるが、任意の一点であればよい。本実施の形態による領域１００ｅは矩形形状であるが、多角形形状、円形状、その他の任意の形状であってもよい。本実施の形態による終了地点に対応する領域１００ｅは、ユーザからの操作を受け付けることが可能な領域であり、より具体的には、ユーザからマウス等によってクリック操作することが可能な領域である。
【００３５】
図８、図９及び図１０に示されるように、開始地点、中間地点及び終了地点が設定されると、それらの間を所定の速度で被操作領域１００が開始地点から中間地点を経て終了地点まで（ｔ２−ｔ０時間で）移動する。即ち、開始被操作領域１００と中間被操作領域１００’、終了被操作領域１００’’の設定が終了すると、装置２（図２参照）は、画面１内におけるＴ＝ｔ０における開始地点の位置及び時刻と、Ｔ＝ｔ1における開始地点の位置及び時刻と、Ｔ＝ｔ２における終了地点における位置及び時刻とに基づいて、被操作領域１００の経路及び速度ｖを決定する。
【００３６】
なお、開始地点、中間地点及び終了地点のいずれか又はいずれの設定も、画面内の任意の点を選択するのみとしてもよい。この場合、当該点を含む所定の領域に終了地点に対応する被操作領域が設定されることとすればよい。
【００３７】
本実施の形態による被操作領域１００は、透明領域（図において点線で示されている）であるが、操作（クリック等）可能であることがわかるように所定のアイコン等を表示することとしてもよい。
【００３８】
（実施例）
続いて、図１１を参照しながら、本発明の実施例を説明する。図示されるように、ＰＣ等のディスプレイ等に被操作領域（図中の「タグ」）が関連付けるための領域６００と、それぞれの被操作領域の開始地点、中間地点及び終了地点を設定する領域６１０と、被操作領域にアイコンを設定する領域６２０と、動画を表示・確認する領域６３０と、動画のタイムラインを表示する領域６４０とを有している。
【００３９】
＜変形例＞
上述した実施の形態においては、移動体に追随する被操作領域について説明したが、例えば、画面内において位置を変えずに表示されているものに対して、所定時間の間被操作領域を設定することとしてもよい。この場合、動画の所定位置に被操作領域を設定し、設定の開始時刻（アイコンの表示時刻）と設定の終了時刻（アイコンの非表示時刻）とを受け付けることとすればよい。
【００４０】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００４１】
２        装置
１０        人物
１００        被操作領域
２０        プロセッサ
２１        メモリ
２２        ストレージ
２３        送受信部
２４        入出力部
２５        バス
【図１】
2019012420.tif 000003
【図２】
2019012420.tif 000004
【図３】
2019012420.tif 000005
【図４】
2019012420.tif 000006
【図５】
2019012420.tif 000007
【図６】
2019012420.tif 000008
【図７】
2019012420.tif 000009
【図８】
2019012420.tif 000010
【図９】
2019012420.tif 000011
【図１０】
2019012420.tif 000012
【図１１】
2019012420.tif 000013
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
動画を読み込むステップと、
前記動画の第１時刻における第１位置と第２時刻における第２位置との選択を受け付けるステップと、
操作を受け付けることが可能な被操作領域を前記第１位置から前記第２位置に移動する経路を設定するステップと、
前記被操作領域と所定のコンテンツとを関連付けるステップと、を含む、
広告表示方法。
【請求項２】
請求項１に記載の広告表示方法であって、
前記第１時刻と前記第２時刻との間である第３時刻における第３位置の選択操作を受け付けるステップと、
前記被操作領域を前記第１位置、前記第３位置及び前記第２位置の順に移動する前記経路を設定するステップと、を含む、
広告表示方法。
【請求項３】
請求項１又は請求項２に記載の広告表示方法であって、
前記被操作領域の前記第１位置から前記第２位置への移動速度の設定を更に受け付けるステップを含む、
広告表示方法。
【請求項４】
請求項１乃至請求項３のいずれかに記載の広告表示方法であって、
前記コンテンツとして広告情報を受け付けるステップを更に含む、広告表示方法。
【請求項５】
請求項１乃至請求項４のいずれかに記載の広告表示方法であって、
前記コンテンツとして所定の広告へのリンク情報を受け付けるステップを更に含む、広告表示方法。
【請求項６】
請求項１乃至請求項５のいずれかに記載の広告表示方法であって、
前記被操作領域に少なくとも一のアイコンを関連付ける操作を受け付けるステップを含む、広告表示方法。
【請求項７】
請求項１乃至請求項６のいずれかに記載の広告表示方法であって、
前記動画の第４時刻における第４位置に他の被操作領域を関連付ける操作を受け付けるステップと、
前記他の被操作領域の表示開始時刻と表示終了時刻とを受け付けるステップとを含む、広告表示方法。
【請求項８】
動画を読み込む手段と、
前記動画の第１時刻における第１位置と第２時刻における第２位置とに被操作領域を関連付ける操作を受け付ける手段と、
前記被操作領域を前記第１位置から前記第２位置に移動する経路を設定する手段と、
前記被操作領域と所定のコンテンツとを関連付ける手段とを備える、
広告表示サーバ。
【請求項９】
コンピュータを、
動画を読み込む手段、
前記動画の第１時刻における第１位置と第２時刻における第２位置とに被操作領域を関連付ける操作を受け付ける手段、
前記被操作領域を前記第１位置から前記第２位置に移動する経路を設定する手段、及び
前記被操作領域と所定のコンテンツとを関連付ける手段、として機能させる
広告表示プログラム。
【手続補正書】
【提出日】平成30年1月8日(2018.1.8)
【手続補正１】
【補正対象書類名】特許請求の範囲
【補正対象項目名】全文
【補正方法】変更
【補正の内容】
【特許請求の範囲】
【請求項１】
広告表示装置を利用した広告表示方法であって、
前記広告表示装置に
動画を読み込むステップと、
前記動画の第１時刻における第１位置を含む任意の形状と第２時刻における第２位置を含む任意の形状との選択を受け付けるステップと、
前記第１時刻と前記第２時刻との間である第３時刻における第３位置を含む任意の形状の選択操作を受け付けるステップと、
操作を受け付けることが可能な被操作領域を前記第１位置、前記第３位置及び前記第２位置の順に所定の速度で移動する経路を設定するステップと、
前記被操作領域と所定のコンテンツとを関連付けるステップと、
前記第１位置と前記第２位置とに基づいて、前記被操作領域の前記所定の速度を決定するステップと、を実行させる
広告表示方法。
【請求項２】
請求項１に記載の広告表示方法であって、
前記被操作領域の前記第１位置から前記第２位置への移動速度の設定を更に受け付けるステップを含む、
広告表示方法。
【請求項３】
請求項１又は請求項２のいずれかに記載の広告表示方法であって、
前記コンテンツとして広告情報を受け付けるステップを更に含む、広告表示方法。
【請求項４】
請求項１乃至請求項３のいずれかに記載の広告表示方法であって、
前記コンテンツとして所定の広告へのリンク情報を受け付けるステップを更に含む、広告表示方法。
【請求項５】
請求項１乃至請求項４のいずれかに記載の広告表示方法であって、
前記被操作領域に少なくとも一のアイコンを関連付ける操作を受け付けるステップを含む、広告表示方法。
【請求項６】
請求項１乃至請求項５のいずれかに記載の広告表示方法であって、
前記動画の第４時刻における第４位置に他の被操作領域を関連付ける操作を受け付けるステップと、
前記他の被操作領域の表示開始時刻と表示終了時刻とを受け付けるステップとを含む、広告表示方法。
【請求項７】
広告表示装置であって、
動画を読み込む手段と、
前記動画の第１時刻における第１位置を含む任意の形状と第２時刻における第２位置を含む任意の形状との選択を受け付ける手段と、
前記第１時刻と前記第２時刻との間である第３時刻における第３位置を含む任意の形状の選択操作を受け付ける手段と、
操作を受け付けることが可能な被操作領域を前記第１位置、前記第３位置及び前記第２位置の順に所定の速度で移動する経路を設定する手段と、
前記被操作領域と所定のコンテンツとを関連付ける手段と、
前記第１位置と前記第２位置とに基づいて、前記被操作領域の前記所定の速度を決定する手段と、を備える
広告表示方法。
【請求項８】
広告表示装置を、
動画を読み込む手段、
前記動画の第１時刻における第１位置を含む任意の形状と第２時刻における第２位置を含む任意の形状との選択を受け付ける手段、
前記第１時刻と前記第２時刻との間である第３時刻における第３位置を含む任意の形状の選択操作を受け付ける手段、
操作を受け付けることが可能な被操作領域を前記第１位置、前記第３位置及び前記第２位置の順に所定の速度で移動する経路を設定する手段、
前記被操作領域と所定のコンテンツとを関連付ける手段、及び
前記第１位置と前記第２位置とに基づいて、前記被操作領域の前記所定の速度を決定する手段として機能させる
広告表示プログラム。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
広告表示装置を利用した広告表示方法であって、
前記広告表示装置に
動画を読み込むステップと、
前記動画の第１時刻における第１位置を含む任意の形状と第２時刻における第２位置を含む任意の形状との選択を受け付けるステップと、
前記第１時刻と前記第２時刻との間である第３時刻における第３位置を含む任意の形状の選択操作を受け付けるステップと、
操作を受け付けることが可能な被操作領域を前記第１位置、前記第３位置及び前記第２位置の順に所定の速度で移動する経路を設定するステップと、
前記被操作領域と所定のコンテンツとを関連付けるステップと、
前記第１位置及び前記第１時刻と前記第３位置及び前記第３時刻と前記第２位置及び前記第２時刻とに基づいて、前記被操作領域の前記所定の速度を決定するステップと、を実行させる
広告表示方法。
【請求項２】
請求項１に記載の広告表示方法であって、
前記被操作領域の前記第１位置から前記第３位置への一定でない移動速度及び前記第３位置から前記第２位置への一定でない移動速度の少なくともいずれかの設定を更に受け付けるステップを含む、
広告表示方法。
【請求項３】
請求項１又は請求項２のいずれかに記載の広告表示方法であって、
前記コンテンツとして広告情報を受け付けるステップを更に含む、広告表示方法。
【請求項４】
請求項１乃至請求項３のいずれかに記載の広告表示方法であって、
前記コンテンツとして所定の広告へのリンク情報を受け付けるステップを更に含む、広告表示方法。
【請求項５】
請求項１乃至請求項４のいずれかに記載の広告表示方法であって、
前記被操作領域に少なくとも一のアイコンを関連付ける操作を受け付けるステップを含む、広告表示方法。
【請求項６】
請求項１乃至請求項５のいずれかに記載の広告表示方法であって、
前記動画の第４時刻における第４位置に他の被操作領域を関連付ける操作を受け付けるステップと、
前記他の被操作領域の表示開始時刻と表示終了時刻とを受け付けるステップとを含む、広告表示方法。
【請求項７】
広告表示装置であって、
動画を読み込む手段と、
前記動画の第１時刻における第１位置を含む任意の形状と第２時刻における第２位置を含む任意の形状との選択を受け付ける手段と、
前記第１時刻と前記第２時刻との間である第３時刻における第３位置を含む任意の形状の選択操作を受け付ける手段と、
操作を受け付けることが可能な被操作領域を前記第１位置、前記第３位置及び前記第２位置の順に所定の速度で移動する経路を設定する手段と、
前記被操作領域と所定のコンテンツとを関連付ける手段と、
前記第１位置及び前記第１時刻と前記第３位置及び前記第３時刻と前記第２位置及び前記第２時刻とに基づいて、前記被操作領域の前記所定の速度を決定する手段と、を備える
広告表示装置。
【請求項８】
広告表示装置を、
動画を読み込む手段、
前記動画の第１時刻における第１位置を含む任意の形状と第２時刻における第２位置を含む任意の形状との選択を受け付ける手段、
前記第１時刻と前記第２時刻との間である第３時刻における第３位置を含む任意の形状の選択操作を受け付ける手段、
操作を受け付けることが可能な被操作領域を前記第１位置、前記第３位置及び前記第２位置の順に所定の速度で移動する経路を設定する手段、
前記被操作領域と所定のコンテンツとを関連付ける手段、及び
前記第１位置及び前記第１時刻と前記第３位置及び前記第３時刻と前記第２位置及び前記第２時刻とに基づいて、前記被操作領域の前記所定の速度を決定する手段として機能させる
広告表示プログラム。
【手続補正２】
【補正対象書類名】明細書
【補正対象項目名】００３３
【補正方法】変更
【補正の内容】
【００３３】
次に、図９に示されるように、時刻Ｔ＝ｔ０から時刻Ｔ＝ｔ１にかけて人物が画面１内を左から中央に移動する（図７の矢印を参照）。動画の時刻Ｔ＝ｔ1においては、画面１内の中央に人物１０’が表示されている。開始地点の選択と同様に、ユーザは、マウス等のインターフェースを利用して、中間地点を設定する。本実施の形態による中間地点の設定は、人物１０’の胴体部分に領域１００ｍを設定することによって行う。領域１００ｍは、領域１００ｓと同様に、所定の面積を有する閉じた領域であり、ドラッグアンドドロップを行った領域と同一又は所定の倍率を乗じた面積を有する。本実施の形態による中間地点は当該面積の中心（重心）に設定されるが、任意の一点であればよい。本実施の形態による領域１００ｍは矩形形状であるが、多角形形状、円形状、その他の任意の形状であってもよい。本実施の形態による中間地点に対応する領域１００ｍは、ユーザからの操作を受け付けることが可能な領域であり、より具体的には、ユーザからマウス等によってクリック操作することが可能な領域である。
【手続補正３】
【補正対象書類名】明細書
【補正対象項目名】００３４
【補正方法】変更
【補正の内容】
【００３４】
続いて、図１０に示されるように、図示される動画においては、時刻Ｔ＝ｔ１から時刻Ｔ＝ｔ２にかけて人物が画面１内を中央から右下に移動する。動画の時刻Ｔ＝ｔ２においては、画面１内の右下側に人物１０’’が表示されている。開始地点の選択と同様に、ユーザは、マウス等のインターフェースを利用して、終了地点を設定する。本実施の形態による終了地点の設定は、人物１０’’の胴体部分に領域１００ｅを設定することによって行う。領域１００ｅは、領域１００ｓと同様に、所定の面積を有する閉じた領域であり、ドラッグアンドドロップを行った領域と同一又は所定の倍率を乗じた面積を有する。本実施の形態による終了地点は当該面積の中心（重心）に設定されるが、任意の一点であればよい。本実施の形態による領域１００ｅは矩形形状であるが、多角形形状、円形状、その他の任意の形状であってもよい。本実施の形態による終了地点に対応する領域１００ｅは、ユーザからの操作を受け付けることが可能な領域であり、より具体的には、ユーザからマウス等によってクリック操作することが可能な領域である。
【手続補正４】
【補正対象書類名】明細書
【補正対象項目名】００３５
【補正方法】変更
【補正の内容】
【００３５】
図８、図９及び図１０に示されるように、開始地点、中間地点及び終了地点が設定されると、それらの間を所定の速度で被操作領域１００が開始地点から中間地点を経て終了地点まで（ｔ２−ｔ０時間で）移動する。即ち、開始被操作領域１００と中間被操作領域１００’、終了被操作領域１００’’の設定が終了すると、装置２（図２参照）は、画面１内におけるＴ＝ｔ０における開始地点の位置及び時刻と、Ｔ＝ｔ1における中間地点の位置及び時刻と、Ｔ＝ｔ２における終了地点における位置及び時刻とに基づいて、被操作領域１００の経路及び速度ｖを決定する。